(57)【要約】【課題】無線マウス装置の省電力化を図る。【解決手段】判定部３が、加速度検出部２により検出された３軸方向の加速度値のうち、少なくとも１軸方向の加速度値が所定閾値以上であるか否かを判定し、少なくとも１軸方向の加速度値が所定閾値以上である場合、リレー動作部４が、電力供給部７からの電力を座標検出部５及び無線出力部６に所定時間供給することにより座標検出部５及び無線出力部６の動作を許容する。【選択図】図１
2008242705.tif 000002
【特許請求の範囲】
【請求項１】
トラックボールのｘ方向及びｙ方向の移動量の情報を検出する検出部と、検出部により検出された情報を無線送信する無線送信部とを備える無線マウス装置において、
ｘ軸，ｙ軸，及びｚ軸の３軸方向の加速度値を検出する加速度検出部と、
前記加速度検出部により検出された３軸方向の加速度値が所定閾値以上であるか否かを判定する判定部と、
３軸方向の加速度値のうち、少なくとも１軸方向の加速度値が所定閾値以上である場合、前記検出部及び前記無線送信部に所定時間電力を供給することにより前記検出部及び前記無線送信部の動作を許容するリレー動作部と
を備えることを特徴とする無線マウス装置。
【請求項２】
請求項１に記載の無線マウス装置において、前記リレー動作部は、前記検出部及び前記無線送信部に電力を供給してから所定時間の間に前記加速度検出部により検出される加速度値に変化がない場合、検出部及び無線送信部への電力供給を停止することを特徴とする無線マウス装置。
【請求項３】
請求項１又は請求項２に記載の無線マウス装置において、前記検出部及び前記無線送信部への電力供給のオン／オフを切り換える外部入力端子を備えることを特徴とする無線マウス装置。
【請求項４】
請求項１乃至請求項３のうち、いずれか１項に記載の無線マウス装置において、前記加速度検出部は、感度が異なる複数の加速度検出部により構成されていることを特徴とする無線マウス装置。
【請求項５】
請求項１乃至請求項３のうち、いずれか１項に記載の無線マウス装置において、前記加速度検出部は、出力値を増幅出力する増幅器と、増幅器の出力値に応じて増幅器の増幅率を制御する増幅率制御部とを備えることを特徴とする無線マウス装置。
【発明の詳細な説明】
【技術分野】
【０００１】
本発明は、ユーザ操作に応じてカーソルの移動量の情報をコンピュータ等の情報処理装置に無線送信する無線マウス装置に関する。
【背景技術】
【０００２】
従来より、トラックボールのｘ方向及びｙ方向の移動量の情報を検出する検出部と、検出部により検出された情報を無線送信する無線送信部とを備える無線マウス装置が知られている。
【特許文献１】特開平５−２１０４５９号公報
【発明の開示】
【発明が解決しようとする課題】
【０００３】
しかしながら、従来の無線マウス装置は、トラックボールのｘ方向及びｙ方向の移動量の情報を常に無線送信する構成になっているために、多くの電力を消費し、電池駆動の場合には長時間使用することができない。
【０００４】
本発明は、上記課題を解決するためになされたものであり、その目的は、省電力化が可能な無線マウス装置を提供することを目的とする。
【課題を解決するための手段】
【０００５】
本発明に係る無線マウス装置は、トラックボールのｘ方向及びｙ方向の移動量の情報を検出する検出部と、検出部により検出された情報を無線送信する無線送信部とを備える無線マウス装置において、ｘ軸，ｙ軸，及びｚ軸の３軸方向の加速度値を検出する加速度検出部と、加速度検出部により検出された３軸方向の加速度値が所定閾値以上であるか否かを判定する判定部と、３軸方向の加速度値のうち、少なくとも１軸方向の加速度値が所定閾値以上である場合、検出部及び無線送信部に所定時間電力を供給することにより検出部及び無線送信部の動作を許容するリレー動作部とを備える。
【発明の効果】
【０００６】
本発明に係る無線マウス装置によれば、３軸方向の加速度値のうち、少なくとも１軸方向の加速度値が所定閾値以上である場合、ｘ方向及びｙ方向の移動量の情報を無線送信するので、省電力化を実現することができる。
【発明を実施するための最良の形態】
【０００７】
本発明の一実施形態となる無線マウス装置１は、図１に示すように、加速度検出部２と、判定部３と、リレー動作部４と、座標検出部５と、無線出力部６と、電力供給部７とを主な構成要素として備える。加速度検出部２は、３次元の加速度センサにより構成され、ｘ軸，ｙ軸，及びｚ軸の３軸方向の加速度値を検出，出力する。判定部３は、公知の演算処理装置により構成され、後述する駆動制御処理を実行する。リレー動作部４は、メカニカルリレー，ソリッドステートリレー，フォトＭＯＳリレー等の公知のリレー装置により構成され、座標検出部５及び無線出力部６への電力供給のオン／オフを制御する。座標検出部５は、トラックボールのｘ方向及びｙ方向の移動量を検出する。無線出力部６は、公知の無線送信装置により構成され、座標検出部５の検出情報をコンピュータ等の情報処理装置に無線送信する。電力供給部７は、無線マウス装置１内の各部に電力を供給する。
【０００８】
このような構成を有する無線マウス装置１は、以下に示すように動作することにより、省電力化を実現する。始めに、加速度検出部２が、ｘ軸，ｙ軸，及びｚ軸の３軸方向の加速度値を検出し、検出した加速度値を判定部３に出力する。次に、判定部３が、加速度検出部２により検出された３軸方向の加速度値のうち、少なくとも１軸方向の加速度値が所定閾値以上であるか否かを判定する。少なくとも１軸方向の加速度値が所定閾値以上である場合、リレー動作部４が、電力供給部７からの電力を座標検出部５及び無線出力部６に所定時間供給することにより座標検出部５及び無線出力部６の動作を許容する。一方、３軸方向の加速度値がいずれも所定閾値以下である場合には、リレー動作部４は座標検出部５及び無線出力部６への電力供給を行わない。
【０００９】
以上の説明から明らかなように、本発明の実施形態となる無線マウス装置１によれば、判定部３が、加速度検出部２により検出された３軸方向の加速度値のうち、少なくとも１軸方向の加速度値が所定閾値以上であるか否かを判定し、少なくとも１軸方向の加速度値が所定閾値以上である場合、リレー動作部４が、電力供給部７からの電力を座標検出部５及び無線出力部６に所定時間供給することにより座標検出部５及び無線出力部６の動作を許容するので、省電力化を実現することができる。
【００１０】
なお、リレー動作部４は、座標検出部５及び無線出力部６への電力供給を開始してから所定時間の間に加速度検出部２により検出される加速度値に変化がない場合、座標検出部５及び無線出力部６への電力供給を停止することが望ましい。このような処理によれば、より多くの消費電力を節約できる。
【００１１】
また、座標検出部５及び無線出力部６への電力供給のオン／オフを切り換え可能な外部入力端子を無線マウス装置１に設けても良い。また本実施形態では、少なくとも１軸方向の加速度値が所定閾値以上である場合において座標検出部５及び無線出力部６への電力供給を開始したが、少なくとも１軸方向の加速度値が所定閾値以下である場合において座標検出部５及び無線出力部６への電力供給を開始してもよい。
【００１２】
また加速度検出部２により検出される加速度値の振動パターン（波形）が予め登録した振動パターン（波形）と同じである場合において、座標検出部５及び無線出力部６への電力供給を開始するようにしてもよい。このような処理によれば、例えば無線マウス装置１を叩くと座標検出部５及び無線出力部６への電力供給を開始する等の処理を行うことが可能になる。
【００１３】
以上、本発明者によってなされた発明を適用した実施の形態について説明したが、この実施の形態による本発明の開示の一部をなす論述及び図面により本発明は限定されることはない。例えば、判定部３が判定に用いる閾値やリレー動作部４が座標検出部５及び無線出力部６に電力を供給する所定時間はユーザが変更，設定できるようにしてもよい。また本実施形態では加速度検出部２を１つの加速度センサにより構成したが、図２に示すように、感度が異なる複数の加速度センサによって加速度検出部２を構成することに加速度検出のダイナミックレンジを拡大してもよい。また図３に示すように、加速度検出部２の出力信号を増幅出力する増幅器３１を設け、加速度値の出力値に応じて増幅率制御部３２により増幅器３１の増幅率を変化させることにより加速度検出のダイナミックレンジを拡大するようにしてもよい。このように、上記実施の形態に基づいて当業者等によりなされる他の実施の形態、実施例及び運用技術等は全て本発明の範疇に含まれることは勿論であることを付け加えておく。
【図面の簡単な説明】
【００１４】
【図１】本発明の実施形態となる無線マウス装置の構成を示すブロック図である。
【図２】感度が異なる複数の加速度センサを組み合わせることにより加速度検出のダイナミックレンジを拡大する方法を説明するための図である。
【図３】加速度センサの出力値の増幅率を制御することにより加速度検出部のダイナミックレンジを拡大する方法を説明するための図である。
【符号の説明】
【００１５】
１：無線マウス装置
２：加速度検出部
３：判定部
４：リレー動作部
５：座標検出部
６：無線出力部
７：電力供給部
１１：増幅率
１２：増幅率制御部
２１：施錠制御装置
【図１】
2008242705.tif 000003
【図２】
2008242705.tif 000004
【図３】
2008242705.tif 000005